【手続補正書】
【提出日】平成20年7月9日(2008.7.9)
【手続補正１】
【補正対象書類名】明細書
【補正対象項目名】請求項１
【補正方法】変更
【補正の内容】
【請求項１】  流体を流して温度を調節できる温度調節用流体通路付き成形型において、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されている温度調節用流体通路付き成形型。
【手続補正２】
【補正対象書類名】明細書
【補正対象項目名】請求項７
【補正方法】変更
【補正の内容】
【請求項７】  流体を流して温度を調節できる温度調節用流体通路付き成形型を製造する方法において、
両端面を有していて内外にほぼ同軸にして重ねて配置される少なくとも二つの部材と、前記両端面に接合される二つの端部材とを用意することと、
内外に重ねられたとき互いに向き合う面の間に前記流体通路を形成することと、
前記端部材のうち少なくとも一つの端部材には前記通路とそれぞれ連通する入口ポート及び出口ポートの少なくとも一方を形成することと、
前記部材の前記端面と前記端部材の一方の面とを互いに当接させ、少なくとも前記端面と前記端部材の面とをパルス通電加圧焼結法を応用したパルス通電接合法により仮接合し、その後熱処理して接合を完成させて母材をつくることと、
前記母材に機械加工を施してコア部材挿入用の軸穴を形成することと、
前記穴内には成形型のキャビティを画成する少なくとも一つのコア部材を挿入することと、
を含む成形型の製造方法。
【手続補正３】
【補正対象書類名】明細書
【補正対象項目名】請求項１１
【補正方法】変更
【補正の内容】
【請求項１１】  流体を流して温度を調節できる温度調節用流体通路付き成形型と、前記成形型を収容する収容空間を画成する金型母材との組合せ体において、
前記成形型が、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて形成され、
前記金型母材と前記成形型との間に断熱層が設けられている、
ことを特徴とする温度調節用流体通路付き成形型と金型母材との組合せ体。
【手続補正４】
【補正対象書類名】明細書
【補正対象項目名】０００５
【補正方法】変更
【補正の内容】
【０００５】
【課題を解決するための手段】
本願の一つの発明は、流体を流して温度を調節できる温度調節用流体通路付き成形型において、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて構成されている。
上記成形型の一つ実施形態において、前記内外に重ねられた部材の対向する面同士が及び前記部材と前記端部材とがパルス通電接合法により仮接合されていて、もよく、また、前記軸穴が軸方向に貫通する貫通穴であり、前記成形コアが協同して前記キャビティを画成する複数のコア部材から成り、前記コア部材の少なくとも一つが前記軸穴内に着脱可能に挿入されていても良い。
上記成形型の別の実施形態において、前記端部材の一方に前記入口ポート及び出口ポートが形成され、前記通路が、前記内側の部材の外周面と前記外側の部材の内周面の少なくとも一方に形成されていて、円周方向に伸びかつ軸方向に隔てられた複数の環状溝により構成され、前記内側の部材の外周面及び前記外側の部材の内周面の少なくとも一方には前記環状溝と前記入口ポートとを連通する第１の軸方向通路が形成され、前記内側の部材の外周面及び前記外側の部材の内周面の少なくとも一方には前記第１の軸方向通路とは円周方向に異なる位置において前記環状溝と前記出口ポートとを連通する第２の軸方向通路が形成されていても、前記通路が、前記内側の部材の外周面と前記外側の部材の内周面の少なくとも一方に形成された少なくとも１条の螺旋溝により構成され、前記内側の部材及び前記外側の部材の少なくとも一方には前記螺旋溝の一端と前記入口ポートとを連通する第１の軸方向通路が形成され、前記内側の部材及び前記外側の部材少なくとも一方には前記第１の軸方向通路とは円周方向に異なる位置において前記螺旋溝の他端と前記出口ポートとを連通する第２の軸方向通路が形成されていても、或いは、前記通路が、前記内側の部材の外周面と前記外側の部材の内周面の少なくとも一方に形成されていて、軸線方向に伸びかつ円周方向に隔てられた複数の軸方向溝により構成され、前記両端部材には前記軸方向溝と連通する通路が形成され、前記通路の一方と前記入口ポートとが連通可能であり、前記通路の他方と前記出口ポートとが連通可能であっても良い。
【手続補正５】
【補正対象書類名】明細書
【補正対象項目名】０００６
【補正方法】変更
【補正の内容】
【０００６】
本願の他の発明は、流体を流して温度を調節できる温度調節用流体通路付き成形型を製造する方法において、
両端面を有していて内外にほぼ同軸にして重ねて配置される少なくとも二つの部材と、前記両端面に接合される二つの端部材とを用意することと、
内外に重ねられたとき互いに向き合う面の間に前記流体通路を形成することと、
前記端部材のうち少なくとも一つの端部材には前記通路とそれぞれ連通する入口ポート及び出口ポートの少なくとも一方を形成することと、
前記部材の前記端面と前記端部材の一方の面とを互いに当接させ、少なくとも前記端面と前記端部材の面とをパルス通電加圧焼結法を応用したパルス通電接合法により仮接合し、その後熱処理して接合を完成させて母材をつくることと、
前記母材に機械加工を施してコア部材挿入用の軸穴を形成することと、
前記穴内には成形型のキャビティを画成する少なくとも一つのコア部材を挿入することと、
を含んで構成されている。
上記製造方法の一つの実施例において、前記接合面を鏡面に加工してもよい。また、他の実施例において、前記熱処理を真空雰囲気内で前記ブロックの材質の溶融温度の５５ないし８５％の温度範囲で行なってもよい。
【手続補正６】
【補正対象書類名】明細書
【補正対象項目名】０００７
【補正方法】変更
【補正の内容】
【０００７】
本願の別の発明は、流体を流して温度を調節できる温度調節用流体通路付き成形型と、前記成形型を収容する収容空間を画成する金型母材との組合せ体において、
前記成形型が、内外にほぼ同軸にして重ねて配置された少なくとも二つの部材と、前記二つの部材の両端に隣接して配置されていて前記部材の端面において接合された端部材とを備え、内側の部材の外周面と外側の部材の内周面との間には前記流体を流すための流体通路が形成され、前記端部材のうち少なくとも一つの端部材には前記流体通路とそれぞれ連通する入口ポート及び出口ポートの少なくとも一方が形成され、少なくとも前記部材と前記端部材とがパルス通電加圧焼結法を応用したパルス通電接合法により仮接合された後熱処理されて接合が完成されており、前記内側の部材に形成された軸穴内には、前記軸穴内で成形型のキャビティを画成する少なくとも一つの成形コアが着脱可能に挿入されて形成され、
前記金型母材と前記成形型との間に断熱層が設けられて構成されている。
上記組合せ体において、前記断熱層が断熱空間の層及び断熱材の層の少なくとも一方の層であってもよい。